(57)【要約】【課題】本考案では、不使用時には、フェンスを構成する針金や部材端部など様々な箇所に容易に取り付けて保管しておくことができ、使用時には、ペットの糞などを使い勝手よくスムーズにすくい取ることのできるスコップを提供することを目的とする。【解決手段】すくい部１４と把持部１５とで一体に形成されるスコップ１１であって、スコップ本体１２には、該スコップ本体１２を係止対象部ｅ，ｆへ係止可能な係止部１３を備え、上記係止部１３を、上記スコップ本体１２に対して片状に突き出した突出し状態Ｘと、上記スコップ本体１２側へ収納された収納状態Ｙとに切り換え可能に形成したスコップ１１。【選択図】図１
0003131638.tif 000002
【実用新案登録請求の範囲】
【請求項１】
すくい部と把持部とで一体に形成されるスコップであって、
スコップ本体には、該スコップ本体を係止対象部へ係止可能な係止部を備え、
上記係止部を、上記スコップ本体に対して片状に突き出した突出し状態と、上記スコップ本体側へ収納された収納状態とに切り換え可能に形成した
スコップ。
【請求項２】
上記係止部を上記スコップ本体に揺動可能に枢着した
請求項１に記載のスコップ。
【請求項３】
上記係止部を、上記すくい部と上記把持部との連結部位に枢着し、上記係止部における先端側を、上記すくい部の基部側へ収納可能に形成した
請求項１、又は、請求項２に記載のスコップ。
【請求項４】
上記係止部は、上記スコップ本体へ取り付け可能に該スコップ本体と別部材で形成し、
上記スコップ本体を、プラスチック成形により形成した
請求項１から請求項３のうちいずれか１項に記載のスコップ。
【請求項５】
上記係止部を、上記スコップ本体に対して取り外し可能に形成した
請求項１から請求項４のうちいずれか１項に記載のスコップ。
【考案の詳細な説明】
【技術分野】
【０００１】
この考案は、ペット用トイレやペット用ケージなどの付属品として例えば、ペットの糞処理用としては勿論、ペットの餌やペット用トイレに敷き詰められる砂などをすくうために用いたり、或いは、ペットの散歩に持参して糞処理用として用いたりすることのできるスコップに関する。
【背景技術】
【０００２】
従来、上述したようなスコップは、不使用時においては地面などに放置されたままであることが多かったため、紛失しやすく、また、汚れるなどして衛生的でないという課題があった。
【０００３】
このような課題に対して特許文献１には、不使用時に一定の場所に取り付けておくこのできるスコップ（１２１）が開示されている。
【０００４】
特許文献１におけるスコップ（１２１）は、主にペット用トイレの付属品として用いられ、不使用時においては、該ペット用トイレの特定部位に取り付けて収納しておくことができる。
【０００５】
具体的に、上記スコップ（１２１）の背面（１５１）には、突状の係止フック（１５２）がスコップ本体に対して一体成形されている。一方、ペット用トイレに備えられたフード本体（２１）の左右縁や上縁には、それぞれ係止片（１５３，１５３）、（１５４）が設けられている。
【０００６】
上記スコップ（１２１）は、係止フック（１５２）を係止片（１５３，１５３）、或いは、係止片（１５４）に係止することにより、不使用時において、フード本体（２１）の左右縁や上縁に取り付けておくことができる。
【０００７】
しかし、特許文献１におけるスコップ（１２１）は、係止フック（１５２）がスコップ（１２１）の背面（１５１）側から少しだけ突き出した形態であるため、フード本体（２１）における特定部位、すなわち、上述した係止片（１５３，１５３）或いは（１５４）にしか係止することができなかった。すなわち、スコップ（１２１）は、不使用時においてフード本体（２１）における上述した特定部位以外の部位には取り付けておくことができず、ペットの大きさによっては、特定部位に取り付けた状態の汚れたスコップにペットが触れてしまうことや、スコップを特定部位に取り付ける度に意識的に特定の部位まで持ち運ぶ必要があり面倒であるという難点があった。
【０００８】
仮に、スコップ（１２１）を、その他の部位にも係止することができるよう、係止フック（１５２）を、スコップ（１２１）の背面（１５１）から積極的に突き出して形成した場合、係止フック（１５２）が邪魔になり、物をすくうというスコップ本来の用途で使用するに際して使い勝手が悪くなってしまうという難点することになる。
【０００９】
【特許文献１】特開２００４−１２９５５６号公報
【考案の開示】
【考案が解決しようとする課題】
【００１０】
そこで本考案では、不使用時には、フェンスを構成する針金や部材端部など様々な箇所に容易に取り付けて保管しておくことができ、使用時には、ペットの糞などを使い勝手よくスムーズにすくい取ることのできるスコップを提供することを目的とする。
【課題を解決するための手段】
【００１１】
本考案におけるスコップは、すくい部と把持部とで一体に形成されるスコップであって、スコップ本体には、該スコップ本体を係止対象部へ係止可能な係止部を備え、上記係止部を、上記スコップ本体に対して片状に突き出した突出し状態と、上記スコップ本体側へ収納された収納状態とに切り換え可能に形成したことを特徴とする。
【００１２】
上記係止対象部とは、ペット用ケージ、ペット用サークルをはじめとするペット用ハウスのフェンスを構成する針金や、樹脂成形で形成したペット用トイレなどの端部など、係止部の係止対象となる部位を示す。
【００１３】
本考案におけるスコップは、上記係止部を上記スコップ本体に揺動可能に枢着した構成であることが好ましい。
【００１４】
本考案のスコップは、係止部をスコップ本体に対して突出し状態へスライド可動させて変更可能とする構成も含むが、上述したように揺動可能に構成することにより、スライド可動させる構造のように上記係止部が直線状のストローク分を可動できる大きさを確保する必要がないため、コンパクトな構造で構成することができる。
【００１５】
本考案におけるスコップは、上記係止部を、上記すくい部と上記把持部との連結部位に枢着し、上記係止部における先端側を、上記すくい部の基部側へ収納可能に形成した構成であることが好ましい。
【００１６】
上記連結部位は、スコップ本体の重心箇所、或いは、その重心箇所近傍に相当することになるため、このような連結部位に係止部を枢着することにより、係止対象部へ係止したときにスコップを安定した状態で係止しておくことができる。
【００１７】
殊に、すくい部の基部側を、物をすくい易いように凹状の形態で形成した場合、その凹状の形態で構成される空間部に係止部をしっかりと収納することができる。
【００１８】
本考案におけるスコップは、上記係止部を上記スコップ本体へ取り付け可能に該スコップ本体と別部材で形成し、上記スコップ本体を、射出成形などのプラスチック成形（樹脂成形）により形成することが好ましい。
【００１９】
本考案のスコップは、スコップ本体と係止部とを、例えば、薄肉で連結するなどして屈曲可能に一体に構成した形態も含むが、上述したようにスコップ本体と係止部材とを別部材に形成し、係止部をスコップへ取り付けて形成することができる。
【００２０】
係る構成により、スコップ本体と係止部とを、別々に成形することも可能となり、各部材をバラエティに富んだ様々な形態で構成することが可能となる。
【００２１】
また、本考案におけるスコップは、上記係止部を、上記スコップ本体に対して取り外し可能に形成してもよい。
【００２２】
上記構成により、スコップ本体と係止部との間の隙間に土や糞などの汚れが付着した場合であっても、スコップ本体に対して係止部を取り外すことで、付着した汚れを容易に除去することができるようになり、衛生的である。
【考案の効果】
【００２３】
本考案のスコップは、不使用時には、フェンスの針金や部材端部など様々な箇所にスコップ本体から突き出した係止部を係止して保管しておくことができ、使用時には、スコップ本体に対して上記係止部が邪魔になることがなく物をすくい取ることができる。
【考案を実施するための最良の形態】
【００２４】
この考案の一実施形態を、以下図面を用いて説明する。  
本実施形態におけるスコップ１１は、図１に示すように構成している。  
なお、図１は、本実施形態におけるスコップ１１の外観形状を示している。
【００２５】
本実施形態におけるスコップ１１は、図１に示すようにスコップ本体１２と係止部材１３とから構成している。上記スコップ本体１２と係止部材１３とは、ともにポリプロピレン（ＰＰ）製であり、それぞれを樹脂成形により形成している。
【００２６】
上記スコップ本体１２は、図２から図６に示すように、すくい部１４と把持部１５とを一体に連設した形態で成形している。  
なお、図２（ａ），（ｂ）は、それぞれ本実施形態におけるスコップ本体１２の平面図、正面図である。図３（ｃ），（ｄ）は、それぞれ本実施形態におけるスコップ本体１２の右側面図、裏面図（背面図）である。図４は、本実施形態におけるスコップ本体１２の中央縦断面図である。さらに、図５（ｅ），（ｆ），（ｇ）は、図２におけるＡ−Ａ拡大断面図、Ｂ−Ｂ拡大断面図、Ｃ−Ｃ拡大矢視図を示す。
【００２７】
具体的に、図３、図４、及び、図５に示すように、上記スコップ本体１２は、その表側の周端部を面一に形成し、該表側の周端部におけるすくい部１４の先端を除いた部位には、鍔部１６を形成している。また、すくい部１４と把持部１５との各基部側には、これらすくい部１４と把持部１５とを一体に連結した連結部位１７を形成している。  
なお、連結部位１７の裏面側における幅方向の中央部には、厚み方向へ突き出した連結部位補強リブ２２を形成している。
【００２８】
また、図２（ｂ）、及び、図４に示すように、上記すくい部１４は、上記把持部１５よりも幅広に形成し、表側の周端部に有する上記鍔部１６に対して凹底状になるよう先端側（正面側）から基部側へ２５度程度傾斜したすくい面２３が形成されている。このため、すくい面２３は、すくい部１４の基端部３１側において最深部となる。すくい部１４は、すくい面２３、及び、すくい部１４の周端部に有する周端壁部２４によって、これら内側に凹状空間Ａを構成している。
【００２９】
図２（ａ），（ｂ）、及び、図３（ｄ）に示すように、長孔形状の連通孔２５を、その長軸方向が長手方向に一致するよう上記すくい面２３において合計１２箇所に形成している。さらに詳しくは、上記各連通孔２５は、上記すくい面２３における基部側部位、及び、先端側部位において、該すくい面２３の幅方向にかけて６つずつ形成している。
【００３０】
さらに、図２、図３、図４に示すように、すくい面２３の裏面側には、長手方向に沿って線状に突き出したすくい面補強リブ２６を合計３つ配設している。さらに詳しくは、上記すくい面補強リブ２６は、それぞれすくい面２３の裏面側における幅方向の中間部位、及び、該中間部に対して両側部位であって所定の隣りあう連通孔２５の間に形成している。
【００３１】
また、図２、図４、及び、図５（ｆ），（ｇ）に示すように、上記すくい部１４と上記把持部１５との連結部位１７（上記把持部１５と上記すくい部１４との各基部）は、その幅方向の両端部に対して中央部を凹状に形成するとともに、すくい面２３に対して段状に形成した凹状段部２７を構成している。
【００３２】
さらに、連結部位１７の幅方向の両端部には、上記係止部材１３を枢着可能に幅方向へ連通した枢着用係止孔部２８を形成している（殊に、図３（ｃ），（ｄ）、及び、図５（ｆ）参照）。
【００３３】
上記把持部１５は、それ自体が把持可能にすくい部１４の基部から後方（背面側）へ延設した形態をしている。さらに、上記把持部１５は、図５（ｅ）に示すように、上記鍔部１６に対して中央部を表側から背面側へ凹状に形成した凹部２９を備え、把持し易いよう厚み方向に立体形状に形成している。
【００３４】
一方、上記係止部材１３は、図６（ａ），（ｂ），（ｃ）に示すように基部３２ａと係止対象部へ係止可能な係止可能部３２ｂとで一体に形成されている。  
なお、図６（ａ），（ｂ），（ｃ）は、それぞれ係止部材１３の平面図、正面図、右側面図を示す。
【００３５】
さらに詳しくは、係止部材１３は、略全体を、線状の形態をした線状構成部材３３から構成されている。上記基部３２ａは、一対の線状構成部材３３をその端部側から係止可能部３２ｂ側へ平行に伸びる形態で形成している。さらに、上記基部３２ａにおける２本の線状構成部材３３の各端部側には、スコップ本体１２へ枢着可能に幅方向の外側へ突出させた枢着用係止突部３４を形成している。
【００３６】
一方、上記係止可能部３２ｂは、基部３２ａ側から伸びた一対の線状構成部材３３を突状に湾曲形成した後、その先端部を直線状に突き出して形成し、さらにその先端部において一対の線状構成部材３３を一体に連結した形態で形成している。
【００３７】
本実施形態のスコップ１１は、上記係止部材１３を上述したスコップ本体１２へ枢着することにより一体にすることができる。  
具体的に、係止部材１３の基部３２ａを幅方向へ撓み変形させることにより、係止部材１３における枢着用係止突部３４を、スコップ本体１２における枢着用係止孔部２８に係止させる。このとき、係止部材１３は、係止可能部３２ｂがすくい部１４側を臨む方向でスコップ本体１２に枢着する。
【００３８】
以上により、係止部材１３は、図１に示すように、スコップ本体１２に対して揺動可能に枢着できる。  
係止部材１３をスコップ本体１２に対して突き出す方向（図１中、時計回り方向の矢印参照）に回動させたとき、該係止部材１３は、最大で該係止部材１３の基部３２ａがスコップ本体１２に対して略垂直になるまで可動させることができる。係止部材１３がこのような姿勢であるとき、係止部材１３は、係止対象部へ係止可能となるため、当該姿勢を、以下、係止可能姿勢Ｘとする。
【００３９】
これに対して、係止部材１３を上述した回動方向と逆方向（図１中、時計と反対回り方向の矢印参照）に回動させたとき、該係止部材１３は、最大で該係止部材１３における係止部１３ｂがすくい部１４の基端部３１に対向した状態になるまで回動させることができる。それとともに、係止部材１３の基部１３ａが連結部位１７の凹状段部２７に収納された状態となる。
【００４０】
係止部材１３がこのような姿勢であるとき、該係止部材１３の略全体が、スコップ本体１２に対して収納（退避）した姿勢となるため、当該姿勢を、以下、収納姿勢Ｙとする。
【００４１】
上述した形態のスコップ１１を用いる際には、図７に示すように、例えば、係止部材１３は、スコップ本体１２に対して係止可能姿勢Ｘ（図中、仮想線で示した係止部材１３参照）ではなく、収納姿勢Ｙ（図中、実線で示した係止部材１３参照）にしておくとよい。
【００４２】
これにより、糞Ｚの処理したり、散歩においてスコップ１１を持ち運んだりする際の動作（行為）において、図７に示すように係止部材１３が不用意に引っかり邪魔になることや外観上、目障りになることがないため、これらの動作を、スムーズに行うことができる。
【００４３】
なお、図７は、本実施形態のスコップ１１を用いて糞Ｚをすくい取る動作を説明する作用説明図である。
【００４４】
ちなみに、上述したように、係止部材１３をスコップ本体１２に対して収納姿勢Ｙとしたとき、係止部材１３における係止部は、すくい部１４の基端部３１と対向した状態となる。このため、係止部材１３における、この基端部３１と対向する部位は、糞Ｚをすくう際に糞Ｚなどに接触することがない。  
よって、係止部材１３を係止可能姿勢Ｘとして係止対象部に係止させても、該係止対象部が汚れてしまうことがないという利点も有する。
【００４５】
これに対してスコップ１１が不使用時においては、上記係止可能姿勢Ｘにするとよい。これにより、係止部材１３は、上述したように係止対象部へ積極的に係止可能に突き出した形態となり、図８（ａ−１），（ａ−２）に示すようにペット用ケージ４１（ペット用サークル）のフェンスの針金ｆや、図８（ｂ−１），（ｂ−２）に示すようにペット用トイレ４２の所定の端部ｅなど、取り付ける度に特定の取り付け箇所へ意識して取り付けなくても、様々な箇所にしっかりと係止しておくことができる。  
なお、図８（ａ−１），（ａ−２）は、本実施形態のスコップ１１をペット用ケージ４１に取り付けた様子をそれぞれ斜視図、断面図により示した作用説明図であり、図８（ｂ−１），（ｂ−２）は、本実施形態のスコップ１１をペット用トイレ４２に取り付けた様子をそれぞれ斜視図、断面図により示した作用説明図である。
【００４６】
従って、本実施形態のスコップ１１は、不使用時において例えば、直接、地面に放置しておくことがなくなるため、紛失のおそれがなく、衛生的である。
【００４７】
殊に、図８（ａ−１），（ａ−２）に示すように、本実施形態のスコップ１１は、ペット用ケージ４１におけるフェンスを構成する針金ｆに適宜、係止しておくことができるため、例えば、ペットの大きさ等に応じてペットが触れることができない所望の箇所、高さ位置に取り付けておくことができる。
【００４８】
さらにまた、図８（ｂ−１），（ｂ−２）  に示すように、本実施形態のスコップ１１は、係止対象部がペット用トイレ４２の樹脂製のカバー上縁部ｅなど比較的、肉厚のある部位であっても、しっかりと係止しておくことができる。
【００４９】
さらに、本実施形態のスコップ１１は、把持部１５を把持している手の例えば、親指で係止部材１３を押し倒すことにより係止可能姿勢Ｘから収納姿勢Ｙへと回動させることができる。これに対して、本実施形態のスコップ１１は、把持部１５を把持している手の例えば、親指で係止部材１３を手前側に引き起こすことにより、収納姿勢Ｙから係止可能姿勢Ｘへと回動できる。このように、いずれの場合であっても容易に姿勢変更することができる。
【００５０】
また、上述の実施形態と、この考案の構成との対応において、この実施形態の係止部材３２は、この考案の係止部に対応し、以下同様に、
係止可能姿勢Ｘは、突出し状態に対応し、
収納姿勢Ｙは、収納状態に対応し、
係止可能部３２ｂは、上記係止部における先端側に対応するも、
本考案のスコップは、上述した本実施形態のスコップ１１の実施形態のみに限定されるものではなく、多くの実施形態を得ることができる。
【図面の簡単な説明】
【００５１】
【図１】本実施形態におけるスコップの外観図。
【図２】本実施形態におけるスコップ本体の平面図（ａ）、正面図（ｂ）。
【図３】本実施形態におけるスコップ本体の右側面図（ｃ）、背面図（ｄ）。
【図４】本実施形態におけるスコップ本体の中央縦断面図。
【図５】図２におけるＡ−Ａ拡大断面図（ｅ）、図２におけるＢ−Ｂ拡大断面図（ｆ），図２におけるＣ−Ｃ拡大矢視図（ｇ）。
【図６】本実施形態における係止部材の平面図（ａ）、正面図（ｂ）、右側面図（ｃ）。
【図７】本実施形態におけるスコップの作用説明図。
【図８】本実施形態におけるスコップの作用説明図。
【符号の説明】
【００５２】
１１…スコップ
１２…スコップ本体
１３…係止部材
１４…すくい部
１５…把持部
１７…連結部位
２８…枢着用係止孔部
３４…枢着用係止突部
【図１】
0003131638.tif 000003
【図２】
0003131638.tif 000004
【図３】
0003131638.tif 000005
【図４】
0003131638.tif 000006
【図５】
0003131638.tif 000007
【図６】
0003131638.tif 000008
【図７】
0003131638.tif 000009
【図８】
0003131638.tif 000010